(57)【要約】【課題】濾過運転時と逆洗時とで濾布に付与するテンションの大きさを変えることによって、濾布の耐久性と逆洗時の濾布に付着したダストの払い落とし効果を向上することができるようにした集塵機を提供すること。【解決手段】濾布Ｆにテンションを付与するようにするとともに、逆気流発生機構１４により濾布Ｆの外表面から内表面方向への逆気流を作用させて濾布Ｆの内表面に付着したダストを払い落とすようにした集塵機１に、濾布Ｆの閉塞端Ｆａから延設した索状体１１を巻き取る巻取機構２０と、逆気流発生機構１４と巻取機構２０とを連動して作動させて濾布Ｆに付与されるテンションの大きさを調整する制御機構１３とを備える。【選択図】図４
2009090195.tif 000002
【特許請求の範囲】
【請求項１】
筐体の内部を区画壁により上下に区画して、その一方を含塵空気導入室に、他方を浄化空気室にし、浄化空気室に配設した多数の筒状の濾布の開口端を区画壁に開口した取付穴に取り付けるとともに、濾布の閉塞端を浄化空気室の取付部に濾布にテンションを付与して取り付け、逆気流発生機構により濾布の外表面から内表面方向への逆気流を作用させて濾布の内表面に付着したダストを払い落とすようにした集塵機であって、濾布の閉塞端から延設した索状体を巻き取る巻取機構と、逆気流発生機構と巻取機構とを連動して作動させて濾布に付与されるテンションの大きさを調整する制御機構とを備えるようにしたことを特徴とする集塵機。
【請求項２】
濾布に付与されるテンションの大きさを測定するテンション測定機構を配設したことを特徴とする請求項１記載の集塵機。
【請求項３】
巻取機構を、筐体の幅寸法と略同一長の巻取部材と、巻取部材を回動させる回動機構とから構成したことを特徴とする請求項１又は２記載の集塵機。
【発明の詳細な説明】
【技術分野】
【０００１】
本発明は、集塵機に関し、特に、吊設した筒状の濾布を用い、排ガスを濾過する集塵機に関するものである。
【背景技術】
【０００２】
ごみ焼却炉や電気炉等から排出される排ガス中のダストを捕集するために種々の集塵機が用いられている。
このうち、例えば、吊設した筒状の濾布を用い、内面濾過方式で排ガスを濾過する集塵機においては、吸引装置によって濾布の開口端から濾布内に排ガスを導入するようにし、濾布によって濾過された排ガスを浄化空気室を介して排出するようにしている。
そして、濾布の内表面にダストが多量に付着し、通気抵抗（圧損）が所定の値以上になったとき又は一定時間経過後に、濾布の外表面から内表面方向への逆気流を作用させ（以下、「逆洗」という。）、濾布の内表面に付着したダストを払い落とすようにしている。
このように、濾布は、濾布内に排ガスを導入されることによって、濾布の内表面から外表面方向への気流が生じる一方、逆洗時には、濾布の外表面から内表面方向への気流が生じて、膨張と収縮を繰り返すこととなる。
そして、これによって、濾布の設置状態が不安定となり、気流が不均一になったり、濾布が局部的に屈曲したりしないように、濾布は、テンションを付与した状態で取り付けられている（例えば、特許文献１参照）。
【０００３】
より具体的には、図６に示すように、この内面濾過方式で排ガスを濾過する集塵機３０は、筐体２の内部を区画壁３により上下に区画して、その下部を含塵空気導入室４に、上部を浄化空気室５にし、含塵空気導入室４を塵埃発生源（図示省略）に接続し、浄化空気室５を吸引装置６に接続するようにしている。
筐体２は、集塵機３０によって濾過する排ガスの容量によって異なるものの、例えば、横方向に２列、縦方向に４列といったように複数個の筐体２を連結して配設し、１台の吸引装置６によって複数個の筐体２から排ガスを吸引するようにしている。
そして、浄化空気室５に多数の筒状の濾布Ｆを配設し、濾布Ｆの開口端Ｆｂを区画壁３に開口した取付穴３ａに取り付けるとともに、濾布Ｆの閉塞端Ｆａを浄化空気室５の上部に取り付けるようにしている。
この場合、濾布Ｆには、濾布Ｆの膨張と収縮を抑制するためのリングＲを所定の間隔で取り付けるようにしている。
【０００４】
これにより、集塵機３０の稼働中は、吸引装置６の吸引力によりダスト発生源からのダストを含んだ排ガスが、導入口４ａを介して含塵空気導入室４に導かれ、ダストが濾布Ｆで濾過されて、浄化後の空気が浄化空気室５を介して排出される。
そして、濾布Ｆの内表面にダストが蓄積し、通気抵抗（圧損）が所定の値以上になったとき又は一定時間経過後に、吸引装置６を逆転させることによって（又は逆洗用ファン（図示省略）を起動することによって）、浄化空気室５に濾布Ｆを逆洗するための逆気流を発生させ、濾布Ｆの内表面に付着したダストを払い落とすようにしている。
【０００５】
【特許文献１】実開昭５７−１１９７２２号公報
【発明の開示】
【発明が解決しようとする課題】
【０００６】
ところで、従来の内面濾過方式で排ガスを濾過する集塵機３０において、濾布Ｆに付与するテンションの大きさは、構造上、濾布Ｆを取り付ける際に設定するようにしていた。
より具体的には、浄化空気室５の上部にある梁８にアングル材からなる取付部材３１を配設し、図７〜図８に示すように、濾布Ｆの閉塞端Ｆａから延設したチェーン３２を取付部材３１の切欠部分３１ａに引っ掛ける際に、ばねＳによって所定のテンションが濾布Ｆに付与されるようにしていた。
【０００７】
一方、この集塵機３０において、浄化空気室５に濾布Ｆを逆洗するための逆気流を発生させることによって濾布Ｆの内表面に付着したダストを払い落とすようにするとき、濾布Ｆは、図９に示すように、濾過運転時の２点鎖線で示す膨張している状態から、実線で示す内側に収縮した状態となる。
この濾布Ｆの濾過運転時（膨張時）の最大半径と逆洗時（収縮時）の最小半径の差である濾布Ｆの径方向の変位幅Ｌ２は、濾布Ｆに付与されているテンション及び濾布Ｆにかかる気流の圧力とによって決定され、濾布Ｆに付与されているテンションが小さいほど、また、濾布Ｆにかかる気流の圧力が大きいほど、変位幅Ｌ２は大きくなる。
【０００８】
そして、一般に、この変位幅Ｌ２が大きい方が、逆洗時の濾布Ｆに付着したダストの払い落とし効果の向上には好ましいことが確認されている。
【０００９】
しかしながら、従来の内面濾過方式で排ガスを濾過する集塵機３０においては、濾布を取り付ける際に濾布Ｆに付与するテンションの大きさを固定値に設定するようにしているため、変位幅Ｌ２を大きくするために、濾布Ｆに付与するテンションを小さく設定し過ぎると、濾布Ｆの設置状態が不安定となり、気流が不均一になったり、濾布Ｆが局部的に屈曲して、濾布Ｆや濾布Ｆの取付部が損傷を受ける等の問題があった。
【００１０】
本発明は、上記従来の集塵機の有する問題点に鑑み、濾過運転時と逆洗時とで濾布に付与するテンションの大きさを変えることによって、濾布の耐久性と逆洗時の濾布に付着したダストの払い落とし効果を向上することができるようにした集塵機を提供することを目的とする。
【課題を解決するための手段】
【００１１】
上記目的を達成するため、本発明の集塵機は、筐体の内部を区画壁により上下に区画して、その一方を含塵空気導入室に、他方を浄化空気室にし、浄化空気室に配設した多数の筒状の濾布の開口端を区画壁に開口した取付穴に取り付けるとともに、濾布の閉塞端を浄化空気室の取付部に濾布にテンションを付与して取り付け、逆気流発生機構により濾布の外表面から内表面方向への逆気流を作用させて濾布の内表面に付着したダストを払い落とすようにした集塵機であって、濾布の閉塞端から延設した索状体を巻き取る巻取機構と、逆気流発生機構と巻取機構とを連動して作動させて濾布に付与されるテンションの大きさを調整する制御機構とを備えるようにしたことを特徴とする。
【００１２】
この場合において、濾布に付与されるテンションの大きさを測定するテンション測定機構を配設することができる。
【００１３】
また、巻取機構を、筐体の幅寸法と略同一長の巻取部材と、巻取部材を回動させる回動機構とから構成することができる。
【発明の効果】
【００１４】
本発明の集塵機によれば、濾布の閉塞端から延設した索状体を巻き取る巻取機構と、逆気流発生機構と巻取機構とを連動して作動させて濾布に付与されるテンションの大きさを調整する制御機構とを備えるようにすることにより、濾過運転時と逆洗時とで濾布に付与するテンションの大きさを変える、より具体的には、逆洗時に濾布に付与するテンションの大きさを小さくすることによって、逆洗時の濾布に付着したダストの払い落とし効果を向上することができるようにしながら、濾布を取り付ける際にテンションの大きさを固定値に設定するようにする従来の集塵機において濾布に付与するテンションを小さく設定し過ぎた場合にあった、濾布の設置状態が不安定となり、気流が不均一になったり、濾布が局部的に屈曲して、濾布や濾布の取付部が損傷を受ける等の問題点を解消することができる。
【００１５】
また、濾布に付与されるテンションの大きさを測定するテンション測定機構を配設することにより、濾布に付与されているテンションの大きさを測定し、この測定値に基づいて濾布の設置状態を適切に制御するようにするほか、濾布の伸び等によって影響を受ける濾布の設置状態を監視するようにすることもできる。
【００１６】
また、巻取機構を、筐体の幅寸法と略同一長の巻取部材と、巻取部材を回動させる回動機構とから構成することにより、筐体の幅寸法と略同一長の巻取部材に１列分の濾布の閉塞端から延設した索状体を巻き付け、１台の回動機構によって濾布に付与されるテンションの大きさを自動的に調整することができる。これにより、例えば、１列に８本の濾布が吊設された集塵機の場合、濾布単位で巻取機構を配設する場合と比較して、回動機構としてのモータ等の台数を１／８に減らすことができる。
【発明を実施するための最良の形態】
【００１７】
以下、本発明の集塵機の実施の形態を、図面に基づいて説明する。
【００１８】
図１〜図５に、本発明の集塵機の一実施例を示す。
この集塵機１は、従来の内面濾過方式で排ガスを濾過する集塵機３０と同様、筐体２の内部を区画壁３により上下に区画して、その下部を含塵空気導入室４に、上部を浄化空気室５にし、含塵空気導入室４を塵埃発生源（図示省略）に接続し、浄化空気室５を吸引装置６に接続するようにし、浄化空気室５に多数の筒状の濾布Ｆを配設し、濾布Ｆの開口端Ｆｂを区画壁３に開口した取付穴３ａに取り付けるとともに、濾布Ｆの閉塞端Ｆａを浄化空気室５の上部の取付部に濾布Ｆにテンションを付与して取り付けるようにしている（具体的な構造は、従来の集塵機３０を示す図６参照）。
【００１９】
そして、この集塵機１は、濾布Ｆの閉塞端Ｆａから延設した索状体１１を巻き取る巻取機構２０と、濾布Ｆに付与されるテンションの大きさを測定するテンション測定機構１２と、テンション測定機構１２の測定値に応じて巻取機構２０を作動させて濾布Ｆに付与されるテンションの大きさを調整する制御機構１３とからなるテンション調整装置１０を備えるようにしている。
【００２０】
巻取機構２０は、巻取部材２１と回動機構２２とからなり、回動機構２２として、例えば、モータを使用し、回動機構２２の回動軸に、直接、索状体１１を巻き取る巻取部材２１を配設して、濾布単位で濾布Ｆに付与されるテンションの大きさを調整することができるようにするほか、図２及び図３に示すように、筐体２の幅寸法と略同一長の巻取部材２１と、巻取部材２１を回動させる回動機構２２とで構成することにより、列単位で濾布Ｆに付与されるテンションの大きさを調整することができる。
ここで、図２は、１列単位で濾布Ｆに付与されるテンションの大きさを調整するようにしたものであり、図３は、筐体２内に列ごとに複数配設する巻取部材２１の端部を伝動ベルトやチェーン等からなる伝達部材２２ａ、２２ｂによって連動して回動可能にすることによって、１台の回動機構２２で、複数列単位（筐体２内に配設した濾布Ｆのすべて）で濾布Ｆに付与されるテンションの大きさを調整するようにしたものである。
【００２１】
この場合において、巻取部材２１は、一端を回動機構２２の回動軸に直接、又は、図２及び図３に示すように、伝動ベルトやチェーン等からなる伝達部材２２ａ、２２ｂを介して連結し、他端を浄化空気室５の梁８に固定したベアリング等からなる軸受２３に回動自在に取り付けるようにしている。
【００２２】
巻取部材２１には、濾布Ｆの閉塞端Ｆａから延設した索状体１１を取り付ける取付部２１ａを配設し、索状体１１の端部を巻取部材２１に固定するようにしている。
【００２３】
そして、図２及び図３に示すように、巻取部材２１に複数の索状体１１を取り付ける場合は、索状体１１を取付部２１ａに固定したときの各々の濾布Ｆに付与されるテンション（各々の索状体１１にかかるテンション）の大きさが同じ値となることが必要であるため、固定時に荷重計等を使用して、巻取部材２１に取り付ける各々の索状体１１のテンションが等しい値となるように調整するようにする。
【００２４】
回動機構２２は、内部に反転防止用のクラッチを内蔵し、濾布Ｆの閉塞端Ｆａから延設した索状体１１を巻き取り、濾布Ｆに所定のテンションを付与するためのものであり、その限りにおいて、構成等は特に限定されるものではない。
【００２５】
索状体１１は、濾布Ｆの閉塞端Ｆａと巻取部材２１とを連結し、濾布Ｆの荷重を支える強度を有するものであれば、材質等は特に限定されず、例えば、ワイヤ、チェーン等を用いることができる。
【００２６】
テンション測定機構１２には、荷重計、例えば、汎用のロードセルを用いることができる。
このテンション測定機構１２は、濾布Ｆに付与されているテンション（各々の索状体１１にかかるテンション）の大きさを測定するために、巻取機構２０と濾布Ｆの閉塞端Ｆａとの間、例えば、索状体１１の中間に設置される。
【００２７】
図１に示すように、濾布単位で濾布Ｆに付与されるテンションの大きさを調整する場合には、巻取機構２０と各々の濾布Ｆの閉塞端Ｆａとの間にテンション測定機構１２を配設するようにするが、通常、１つの集塵機１内に吊設される濾布Ｆの経年変化による伸び等は概ね同じであることから、図２及び図３に示すように、テンション測定機構１２は、１列単位又は複数列単位（筐体２内に配設した濾布Ｆのすべて）で１個所配設するようにすることもできる。
【００２８】
制御機構１３は、シーケンサやパーソナルコンピュータを使用し、テンション測定機構１２によって測定されたテンション（引張力）の測定値を、予め設定しておいた所定の設定値（基準値）と比較することにより、テンションの大きさが変動した場合に、これを検知し、テンション測定機構１２の測定値に応じて巻取機構２０を作動させて濾布Ｆに付与されるテンションの大きさを自動的に調整して、濾布Ｆに付与されるテンションの大きさが所定の設定値（基準値）になるようにする。
【００２９】
また、制御機構１３は、濾過運転時と逆洗時とで濾布Ｆに付与するテンションの大きさを変えるようにする機能を備えており、具体的には、濾過運転時には、濾布Ｆに付与されるテンションの大きさを所定の設定値（基準値）になるようにし、一方、逆洗時には、濾布Ｆに付与するテンションの大きさを濾過運転時より小さくすることによって、図５に示す濾布Ｆの径方向の変位幅Ｌ１（図５において、濾布Ｆは、逆洗時に、濾過運転時の２点鎖線で示す膨張している状態から、実線で示す内側に収縮した状態となるが、この濾布Ｆの濾過運転時（膨張時）の最大半径と逆洗時（収縮時）の最小半径の差）が大きくなるようにし、逆洗時の濾布Ｆに付着したダストの払い落とし効果を向上することができるようにする。
この場合、テンション測定機構１２によって、逆洗時の濾布Ｆに付与されているテンションの大きさを正確に把握し、制御機構１３によって自動的に調整することによって、濾布Ｆの径方向の変位幅Ｌ１を濾布Ｆに付着するダストの種類に応じて適切な値とすることができる。
【００３０】
逆気流発生機構１４は、吸引装置６を逆転可能に構成することによって、別途他の機器を設けることなく構成することができるが、このほか、吸引装置６とは別に、筐体２の浄化空気室５内に逆気流を供給する逆洗用ファン（図示省略）等を配設して構成することもできる。
【００３１】
また、逆気流発生機構１４は、図４に示すように、３基の筐体２ａ〜２ｃに対して１基の吸引装置６を配設する場合、筐体２ａ〜２ｃをダンパＤ１ａ〜Ｄ１ｃを介して吸引装置６に連結するとともに、吸引装置６の排気側と筐体２ａ〜２ｃとをダンパＤ２ａ〜Ｄ２ｃを介して連結して構成するようにする。
そして、濾過運転時には、ダンパＤ１ａ〜Ｄ１ｃを開放するとともに、ダンパＤ２ａ〜Ｄ２ｃを閉鎖するようにし、一方、逆洗時には、例えば、筐体２ａを逆洗の対象とするときは、制御機構１３の指令によって、ダンパＤ１ａを閉鎖するとともに、ダンパＤ２ａを開放し、吸引装置６によって筐体２ｂ、２ｃから吸引された気体をダンパＤ２ａを介して筐体２ａの浄化空気室５に送り込むように構成することもできる。
【００３２】
この集塵機１は、濾布Ｆにテンションを付与するようにするとともに、逆気流発生機構１４により濾布Ｆの外表面から内表面方向への逆気流を作用させて濾布Ｆの内表面に付着したダストを払い落とすようにした集塵機１に、濾布Ｆの閉塞端Ｆａから延設した索状体１１を巻き取る巻取機構２０と、逆気流発生機構１４と巻取機構２０とを連動して作動させて濾布Ｆに付与されるテンションの大きさを調整する制御機構１３とを備えるようにしているので、濾過運転時と逆洗時とで濾布Ｆに付与するテンションの大きさを変える、具体的には、濾過運転時には、濾布Ｆに付与されるテンションの大きさを所定の設定値（基準値）になるようにし、一方、逆洗時には、濾布Ｆに付与するテンションの大きさを濾過運転時より小さくすることによって、濾布Ｆの径方向の変位幅Ｌ１が大きくなるようにし、逆洗時の濾布Ｆに付着したダストの払い落とし効果を向上することができるようにしながら、濾布Ｆを取り付ける際にテンションの大きさを固定値に設定するようにする従来の集塵機において濾布Ｆに付与するテンションを小さく設定し過ぎた場合にあった、濾布Ｆの設置状態が不安定となり、気流が不均一になったり、濾布Ｆが局部的に屈曲して、濾布Ｆや濾布Ｆの取付部が損傷を受ける等の問題点を解消することができる。
また、この集塵機１は、例えば、経年変化による濾布Ｆの伸び等によって濾布Ｆに付与されるテンションの大きさが変動した場合に、テンション測定機構１２によって、これを検知し、テンション測定機構１２の測定値に応じて巻取機構２０を作動させて濾布Ｆに付与されるテンションの大きさを自動的に調整するようにしたり、濾布Ｆの伸び等によって影響を受ける濾布Ｆの設置状態を監視するようにすることもできる。
【００３３】
なお、逆洗時に、巻取機構２０を作動させることによって濾布Ｆに付与するテンションの大きさを濾過運転時より小さくするタイミングは、逆気流発生機構１４の作動前、つまり、濾過運転時の終了間際に下げ始め、濾布Ｆを通常の濾過運転時より大きく膨張させてから逆気流発生機構１４を作動させて濾布Ｆを収縮させるようにすることが好ましい。
これによって、濾布Ｆの径方向の変位幅Ｌ１を大きくすることができ、濾布Ｆの内表面に付着したダストをより効果的に払い落とすことができる。
【００３４】
以上、本発明の集塵機について、内面濾過方式で排ガスを濾過する集塵機の実施例に基づいて説明したが、本発明は上記実施例に記載した構成に限定されるものではなく、その趣旨を逸脱しない範囲において、適宜その構成を変更することができ、その対象も、例えば、吸引装置６を配設することに代えて、塵埃発生源からの排ガスを含塵空気導入室に送り込む、所謂、排ガスの押し込み方式の集塵機等にも適用することができ、これを排除しないものである。
【産業上の利用可能性】
【００３５】
本発明の集塵機は、濾過運転時と逆洗時とで濾布に付与するテンションの大きさを変えることによって、濾布の耐久性と逆洗時の濾布に付着したダストの払い落とし効果を向上することができるという特性を有していることから、濾布にテンションを付与して使用する内面濾過方式で排ガスを濾過する集塵機に好適に用いることができる。
【図面の簡単な説明】
【００３６】
【図１】本発明の集塵機の一実施例を示し、そのテンション調整装置を示す一部断面の正面図である。
【図２】１列単位で濾布に付与されるテンションの大きさを調整するようにした実施例を示す説明図（図１の斜視図）である。
【図３】複数列単位で濾布に付与されるテンションの大きさを調整するようにした実施例を示す説明図である。
【図４】逆気流発生機構の概略図である。
【図５】同集塵機に取り付けた濾布の径方向の変位の状態を示す一部断面の正面図である。
【図６】従来の内面濾過方式で排ガスを濾過する集塵機の一部断面の正面図である。
【図７】同集塵機の濾布の取付部分を示す一部断面の正面図である。
【図８】図７のＸ−Ｘ矢視図である。
【図９】同集塵機に取り付けた濾布の径方向の変位の状態を示す一部断面の正面図である。
【符号の説明】
【００３７】
１    集塵機
２    筐体
３    区画壁
４    含塵空気導入室
５    浄化空気室
１０  テンション調整装置
１１  索状体
１２  テンション測定機構
１３  制御機構
１４  逆気流発生機構
２０  巻取機構
Ｆ    濾布
Ｆａ  閉塞端
Ｆｂ  開口端
Ｌ１  濾布の径方向の変位幅
【図１】
2009090195.tif 000003
【図２】
2009090195.tif 000004
【図３】
2009090195.tif 000005
【図４】
2009090195.tif 000006
【図５】
2009090195.tif 000007
【図６】
2009090195.tif 000008
【図７】
2009090195.tif 000009
【図８】
2009090195.tif 000010
【図９】
2009090195.tif 000011